(57)【特許請求の範囲】
【請求項１】
雄ジョイントコネクタと、該雄ジョイントコネクタに第一の方向から差し込まれて収容される雌コネクタと、絶縁性の樹脂部品として形成されるスペーサとを備え、
前記雄ジョイントコネクタは、絶縁性の雄コネクタハウジングと、複数のタブ及び該タブを連結するバスバーを有する導電性の金属板とを備え、
前記雌コネクタは、絶縁性の雌コネクタハウジングと、電線端末に設けられて前記タブに接続される雌端子金具とを備え、
前記雄コネクタハウジングは、前記雌コネクタの収容部分として形成されるコネクタ収容部と、前記金属板の装着部分として形成され且つ前記金属板が装着されると前記コネクタ収容部に前記タブが突出するように形成される複数の金属板装着部と、前記スペーサの組み付け部分として形成され且つ前記スペーサが組み付けられると前記第一の方向に直交する第二の方向に沿って前記スペーサがスライド自在になるように形成されるスペーサ組み付け部と、前記スペーサの仮係止及び本係止が行えるように前記スペーサ組み付け部に形成される雄コネクタ側係止部とを有し、
前記雌コネクタハウジングは、前記雌端子金具の収容係止部分として形成される端子収容室と、該端子収容室に対し前記第二の方向に沿って前記スペーサの凸部の挿抜が自在になるように形成される凹部又は孔とを有し、
前記スペーサは、前記雌コネクタが貫通する部分として枠状に形成される雌コネクタ貫通枠部と、前記雄コネクタ側係止部にて前記雄ジョイントコネクタに仮係止及び本係止されるスペーサ側係止部と、前記第二の方向に突出するように前記雌コネクタ貫通枠部に一体に形成される前記凸部とを有し、
さらに、前記スペーサは、前記雄ジョイントコネクタに対し仮係止された状態で前記雌コネクタが前記コネクタ収容部に完全に差し込まれた時に、且つ、該差し込まれた前記雌コネクタの前記雌端子金具が完全に前記端子収容室に係止された状態の時に、前記雄ジョイントコネクタに対する本係止の側にスライド可能になり且つ該スライドに伴って前記凸部が前記凹部又は前記孔に挿入される
ことを特徴とするコネクタ。
【請求項２】
請求項１に記載のコネクタにおいて、
前記コネクタ収容部及び前記雌コネクタ貫通枠部は、前記第二の方向に並ぶように複数形成され、前記凸部は前記複数の雌コネクタ貫通枠部のそれぞれに形成される
ことを特徴とするコネクタ。
【請求項３】
請求項１又は２に記載のコネクタにおいて、
前記コネクタ収容部及び前記雌コネクタのいずれか一方は可撓性の係止アームを有し、いずれか他方は前記係止アームに係止される係止部を有する
ことを特徴とするコネクタ。
【請求項４】
請求項１、２又は３に記載のコネクタにおいて、
前記凸部は前記雌端子金具を二重に係止する部分としても形成される
ことを特徴とするコネクタ。
【発明の詳細な説明】
【技術分野】
【０００１】
本発明は、雄ジョイントコネクタと、この雄ジョイントコネクタに差し込まれて収容される雌コネクタと、絶縁性の樹脂部品として使用されるスペーサとを備えるコネクタに関する。詳しくは、上記スペーサが雄ジョイントコネクタ側に組み付けられるコネクタに関する。
【背景技術】
【０００２】
下記特許文献１に開示されるコネクタは、電気的な接続を行うためのものであって、雄ジョイントコネクタと複数の雌コネクタとを備える。雄ジョイントコネクタには、複数のコネクタ収容部が形成され、対応するコネクタ収容部に雌コネクタが差し込まれると嵌合・収容状態になって電気的な接続が完了する。
【０００３】
電気的な接続が確実であるか否かは（別な言い方をすれば、コネクタ嵌合が確実であるか否かは）、作業者が雌コネクタから導出される複数本の電線を持ってこれを嵌合と逆方向に引っ張ることで確認される。尚、雌コネクタに関し、上記電線の端末に設けられる雌端子金具が途中挿入であるか否かは、雌コネクタの雌コネクタハウジングに対し仮係止及び本係止されるスペーサにより検知される。
【０００４】
ここで、上記のコネクタ嵌合が確実であるか否かについて、また、雌端子金具が途中挿入であるか否かについて、以下に例を挙げて説明をすることにする（図１６ないし図２０は本願出願人による説明図である）。
【０００５】
図１６において、コネクタ１０１は、雄ジョイントコネクタ１０２と、複数の雌コネクタ１０３とを備えて構成される。図１６及び図１７において、雄ジョイントコネクタ１０２は、雄形のコネクタであって、雄コネクタハウジング１０４と、二枚の金属板１０５と、この金属板１０５を保持して雄コネクタハウジング１０４に組み付けられる金属板保持部材１０６とを備えて構成される。
【０００６】
雄コネクタハウジング１０４は、雌コネクタ１０３の収容部分として形成されるコネクタ収容部１０７と、金属板保持部材１０６の装着部分として形成される保持部材装着部１０８とを有する。雄コネクタハウジング１０４及び金属板１０５は、金属板保持部材１０６が保持部材装着部１０８に装着されると、金属板１０５を構成するタブ１０９がコネクタ収容部１０７に突出するように形成される（引用符号１１０はタブ１０９を連結するバスバーを示す）。複数のコネクタ収容部１０７は、雌コネクタ１０３の嵌合方向に対し直交する方向に並んで形成される。このようなコネクタ収容部１０７には、係止アーム１１１が形成される。係止アーム１１１は、雌コネクタ１０３を係止するための部分として形成される。
【０００７】
図１６及び図１８において、雌コネクタ１０３は、二本の電線１１２の端末に設けられて雄ジョイントコネクタ１０２に接続される雌形のコネクタとして構成される。雌コネクタ１０３は、図１８及び図１９に示す如く、雌コネクタハウジング１１３と、雄ジョイントコネクタ１０２のタブ１０９に接続される雌端子金具１１４と、雌コネクタハウジング１１３に対し仮係止（図１９（ａ）、（ｂ）参照）及び本係止（図１９（ｃ）、（ｄ）参照）されるスペーサ１１５とを備えて構成される。
【０００８】
雌コネクタハウジング１１３には、雌端子金具１１４が収容係止される端子収容室１１６と、スペーサ１１５が組み付けられるスペーサ組み付け部１１７と、雄ジョイントコネクタ１０２の係止アーム１１１に係止される係止部１１８とが形成される。端子収容室１１６には、ランス１１９が形成される。スペーサ組み付け部１１７は、端子収容室１１６を横切るように形成される。このようなスペーサ組み付け部１１７には、端子収容室１１６に連通する孔１２０が上下二段に配置形成される。また、スペーサ組み付け部１１７には、仮係止及び本係止用の二種類の突起１２１、１２２が形成される。
【０００９】
スペーサ１１５は、上記の如くスペーサ組み付け部１１７に組み付けられる。このようなスペーサ１１５には、雌端子金具１１４を二重に係止するための凸部１２３、１２４が上下二段に形成される。また、スペーサ１１５には、仮係止及び本係止用の二種類の突起１２５、１２６が形成される。
【００１０】
上記構成及び構造において、先ず、雄ジョイントコネクタ１０２の組み立てについて説明をする。雄ジョイントコネクタ１０２は、以下の第一工程〜第二工程を順に経て組み立てられる。
【００１１】
図１７において、第一工程では、金属板１０５が金属板保持部材１０６に保持される。そして、第二工程では、金属板１０５を保持した状態の金属板保持部材１０６が雄コネクタハウジング１０４の保持部材装着部１０８に装着される。この装着が行われると、タブ１０９がコネクタ収容部１０７に突出する。
【００１２】
次に、雌コネクタ１０３の組み立てについて説明をする。雌コネクタ１０３は、以下の第三工程〜第五工程を順に経て組み立てられる。
【００１３】
図１９（ａ）及び（ｂ）において、第三工程では、雌コネクタハウジング１１３にスペーサ１１５が仮係止される。そして、第四工程では、端子収容室１１６に雌端子金具１１４が収容される。この時、雌端子金具１１４が端子収容室１１６に確実に収容された状態にあれば、雌端子金具１１４はランス１１９にて係止される。一方、雌端子金具１１４が途中挿入の状態にあれば、この後のスペーサ１１５の本係止が不能になる。
【００１４】
図１９（ｃ）及び（ｄ）において、第五工程では、スペーサ１１５の押し込みが行われてスペーサ１１５が雌コネクタハウジング１１３に本係止される。スペーサ１１５が本係止されると、雌端子金具１１４は二重に係止される。具体的には、孔１２０を介して挿入されるスペーサ１１５の凸部１２３、１２４により二重に係止される。従って、電線１１２に引っ張りの力が加わったとしても雌端子金具１１４が端子収容室１１６から抜けてしまうようなことはない。
【００１５】
尚、スペーサ１１５の本係止ができない場合にあっては、雌端子金具１１４が途中挿入の状態にあることを意味する。スペーサ１１５の本係止ができなければ、この時に雌端子金具１１４の途中挿入が検知される。
【００１６】
最後に、コネクタ１０１の組み立てについて説明をする。コネクタ１０１は、以下の第六工程を経て組み立てられる。
【００１７】
図２０において、第六工程では、雄ジョイントコネクタ１０２のコネクタ収容部１０７に雌コネクタ１０３が差し込まれて電気的な接続が完了する。この時、雌コネクタ１０３は、係止部１１８がコネクタ収容部１０７の係止アーム１１１に係止される。すなわち、電線１１２を矢印方向に引っ張ってもコネクタ収容部１０７からの抜けが規制される。上記電気的な接続は、コネクタ収容部１０７に突出するタブ１０９に対して雌コネクタ１０３の雌端子金具１１４が所定位置まで差し込まれて完了する。尚、雌端子金具１１４が所定位置まで差し込まれていない場合は、図１９（ｂ）に示す如く雌コネクタ１０３からスペーサ１１５が突出した状態になり、そのため雌コネクタ１０３を雄ジョイントコネクタ１０２のコネクタ収容部１０７に完全に嵌合させることはできず、また、係止部１１８が係止アーム１１１に係止されてない場合は、電線１１２を引っ張ると雌コネクタ１０３がコネクタ収容部１０７から脱落してしまうことになる。従って、この時にコネクタ嵌合が不完全であると検知される。
【先行技術文献】
【特許文献】
【００１８】
【特許文献１】特開２００４−３４３９７４号公報
【発明の概要】
【発明が解決しようとする課題】
【００１９】
図１６ないし図２０に示す例から分かるように、雌コネクタ１０３の数の分だけ一つ一つスペーサ１１５を押し込んで雌端子金具１１４の途中挿入の検知が行われることから、作業性が非常に悪いという問題点を有する。また、同じく雌コネクタ１０３の数の分だけ一つ一つ電線１１２を引っ張ってコネクタ嵌合の検知も行われることから、作業性が更に悪くなるという問題点を有する。尚、電線１１２の引っ張りに関し作業者の感覚的要素があることから、確実にコネクタ嵌合の検知ができるとは言い難い。
【００２０】
本発明は、上記した事情に鑑みてなされたもので、確実な検知と作業性の向上とを図ることが可能なコネクタを提供することを課題とする。
【課題を解決するための手段】
【００２１】
上記課題を解決するためになされた請求項１に記載の本発明のコネクタは、（１）雄ジョイントコネクタと、該雄ジョイントコネクタに第一の方向から差し込まれて収容される雌コネクタと、絶縁性の樹脂部品として形成されるスペーサとを備え、（２）前記雄ジョイントコネクタは、絶縁性の雄コネクタハウジングと、複数のタブ及び該タブを連結するバスバーを有する導電性の金属板とを備え、（３）前記雌コネクタは、絶縁性の雌コネクタハウジングと、電線端末に設けられて前記タブに接続される雌端子金具とを備え、（４）前記雄コネクタハウジングは、前記雌コネクタの収容部分として形成されるコネクタ収容部と、前記金属板の装着部分として形成され且つ前記金属板が装着されると前記コネクタ収容部に前記タブが突出するように形成される複数の金属板装着部と、前記スペーサの組み付け部分として形成され且つ前記スペーサが組み付けられると前記第一の方向に直交する第二の方向に沿って前記スペーサがスライド自在になるように形成されるスペーサ組み付け部と、前記スペーサの仮係止及び本係止が行えるように前記スペーサ組み付け部に形成される雄コネクタ側係止部とを有し、（５）前記雌コネクタハウジングは、前記雌端子金具の収容係止部分として形成される端子収容室と、該端子収容室に対し前記第二の方向に沿って前記スペーサの凸部の挿抜が自在になるように形成される凹部又は孔とを有し、（６）前記スペーサは、前記雌コネクタが貫通する部分として枠状に形成される雌コネクタ貫通枠部と、前記雄コネクタ側係止部にて前記雄ジョイントコネクタに仮係止及び本係止されるスペーサ側係止部と、前記第二の方向に突出するように前記雌コネクタ貫通枠部に一体に形成される前記凸部とを有し、（７）さらに、前記スペーサは、前記雄ジョイントコネクタに対し仮係止された状態で前記雌コネクタが前記コネクタ収容部に完全に差し込まれた時に、且つ、該差し込まれた前記雌コネクタの前記雌端子金具が完全に前記端子収容室に係止された状態の時に、前記雄ジョイントコネクタに対する本係止の側にスライド可能になり且つ該スライドに伴って前記凸部が前記凹部又は前記孔に挿入されることを特徴とする。
【００２２】
請求項２に記載の本発明は、請求項１に記載のコネクタにおいて、前記コネクタ収容部及び前記雌コネクタ貫通枠部は、前記第二の方向に並ぶように複数形成され、前記凸部は前記複数の雌コネクタ貫通枠部のそれぞれに形成されることを特徴とする。
【００２３】
請求項３に記載の本発明は、請求項１又は２に記載のコネクタにおいて、前記コネクタ収容部及び前記雌コネクタのいずれか一方は可撓性の係止アームを有し、いずれか他方は前記係止アームに係止される係止部を有することを特徴とする。
【００２４】
請求項４に記載の本発明は、請求項１、２又は３に記載のコネクタにおいて、前記凸部は前記雌端子金具を二重に係止する部分としても形成されることを特徴とする。
【発明の効果】
【００２５】
請求項１に記載された本発明によれば、雄ジョイントコネクタに雌コネクタを差し込んで嵌合・収容した後に、雄ジョイントコネクタに組み付けられたスペーサを仮係止状態から本係止状態にスライドさせるだけで、コネクタ嵌合が確実であるか否かについて、また、雌端子金具が途中挿入であるか否かについて簡単に検知することができる。従って、本発明によれば、確実な検知と作業性の向上とを図ることができるという効果を奏する。
【００２６】
請求項２に記載された本発明によれば、雌コネクタが複数であってもコネクタ嵌合が確実であるか否かについて、また、雌端子金具が途中挿入であるか否かについてを一括して検知することができるという効果を奏する。従って、作業性の更なる向上を図ることができるという効果を奏する。
【００２７】
請求項３に記載された本発明によれば、スペーサを仮係止状態から本係止状態にスライドさせる前に、コネクタ収容部からの雌コネクタの脱落を防止することができるという効果を奏する。また、脱落防止により雌コネクタの位置が決まり、スペーサを仮係止状態から本係止状態に容易にスライドさせることができるという効果も奏する。
【００２８】
請求項４に記載された本発明によれば、検知だけでなく雌端子金具を二重に係止することができるという効果を奏する。別な言い方をすれば、雌端子金具に対する保持力を向上させることができるという効果を奏する。
【図面の簡単な説明】
【００２９】
【図１】本発明のコネクタを示す図であり、（ａ）は斜視図、（ｂ）は右側面図である。
【図２】コネクタの正面図である。
【図３】コネクタの分解斜視図である。
【図４】雄ジョイントコネクタを示す図であり、（ａ）は正面図、（ｂ）は（ａ）のＥ−Ｅ線断面図である。
【図５】雌コネクタを示す図であり、（ａ）は正面図、（ｂ）は（ａ）のＦ−Ｆ線断面図である。
【図６】スペーサを示す斜視図である。
【図７】スペーサの仮係止状態を示す図であり、（ａ）は図２のＧ−Ｇ線断面図、（ｂ）は（ａ）のＭ部分の拡大図である。
【図８】スペーサの本係止状態を示す図であり、図７（ｂ）に対応する拡大図である。
【図９】スペーサの本係止状態を示す図であり、図２のＨ−Ｈ線断面図である。
【図１０】スペーサの本係止状態を示す図であり、図９のＪ−Ｊ線断面図である。
【図１１】スペーサの本係止状態を示す図であり、図２のＫ−Ｋ線断面図である。
【図１２】図１１に対応する図であり、（ａ）はスペーサの仮係止状態を示す断面図、（ｂ）はスペーサの本係止状態を示す断面図である。
【図１３】コネクタ嵌合が不完全であると検知される状態を示す図であり、図２のＨ−Ｈ線に対応する断面図である。
【図１４】コネクタ嵌合が不完全であると検知される状態を示す図であり、図１３のＪ−Ｊ線断面図である。
【図１５】コネクタ嵌合が不完全であると検知される状態を示す図であり、スペーサが仮係止から本係止に移行できない状態を示す断面図である。
【図１６】問題点を説明するための図であり、コネクタを示す正面図である。
【図１７】図１６の雄ジョイントコネクタを示す図であり、（ａ）は正面図、（ｂ）は（ａ）のＢ−Ｂ線断面図である。
【図１８】図１６の雌コネクタを示す図であり、（ａ）は斜視図、（ｂ）は雌コネクタを構成するスペーサの斜視図である。
【図１９】スペーサの仮係止及び本係止状態を示す図であり、（ａ）及び（ｃ）は図１６のＡ−Ａ線に対応する断面図、（ｂ）及び（ｄ）は図１６のＣ−Ｃ線に対応する断面図である。
【図２０】スペーサの本係止状態を示す図であり、図１６のＤ−Ｄ線断面図である。
【発明を実施するための形態】
【００３０】
コネクタは、雄ジョイントコネクタと雌コネクタとスペーサとを備えて構成される。雄ジョイントコネクタは、雄コネクタハウジングと金属板とを備えて構成される。雌コネクタは、雌コネクタハウジングと雌端子金具とを備えて構成される。雄コネクタハウジングは、コネクタ収容部と金属板装着部とスペーサ組み付け部と雄コネクタ側係止部とを有する。雌コネクタハウジングは、端子収容室と凹部又は孔とを有する。スペーサは、雌コネクタ貫通枠部とスペーサ側係止部と凸部とを有する。さららに、スペーサは、雄ジョイントコネクタに対し仮係止された状態で雌コネクタがコネクタ収容部に完全に差し込まれた時に、且つ、雌コネクタの雌端子金具が完全に端子収容室に係止された状態の時に、雄ジョイントコネクタに対する本係止の側にスライド可能になり且つこのスライドに伴って凸部が凹部又は孔に挿入される。
【実施例】
【００３１】
以下、図面を参照しながら実施例を説明する。図１は本発明のコネクタを示す図であり、（ａ）は斜視図、（ｂ）は右側面図である。また、図２はコネクタの正面図、図３はコネクタの分解斜視図、図４は雄ジョイントコネクタを示す正面図及び断面図、図５は雌コネクタを示す正面図及び断面図、図６はスペーサを示す斜視図である。
【００３２】
以下の説明において、具体的な形状、材料、数値、方向等は、本発明の理解を容易にするための例示であって、用途、目的、仕様等に合わせて適宜変更することができるものとする。
【００３３】
＜コネクタ１の構成について＞
図１ないし図３において、コネクタ１は、雄ジョイントコネクタ２と、この雄ジョイントコネクタ２に対し矢印Ｐの方向（第一の方向）から差し込まれて収容される複数の雌コネクタ３と、絶縁性の樹脂部品として形成されるスペーサ４とを備えて構成される。
【００３４】
＜雄ジョイントコネクタ２の構成について＞
図１ないし図４において、雄ジョイントコネクタ２は、絶縁性の雄コネクタハウジング５と、複数枚の金属板６とを備えて構成される。
【００３５】
＜雄コネクタハウジング５について＞
雄コネクタハウジング５は、樹脂成形品であって、正面から見て長方形の箱形状に形成される（横長の箱形状に形成される）。このような雄コネクタハウジング５は、複数のコネクタ収容部７と、金属板装着部８と、スペーサ組み付け部９と、雄コネクタ側係止部１０（図７及び図８参照）とを有する。尚、雄コネクタハウジング５は、例えば自動車に搭載される電気接続箱の一部として形成されてもよいものとする。
【００３６】
コネクタ収容部７は、雌コネクタ３の収容部分として形成される。コネクタ収容部７は、矢印Ｐの方向（第一の方向）に直交する矢印Ｑの方向（第二の方向）に沿って並ぶように複数形成される。また、矢印Ｐ及び矢印Ｑに直交する矢印Ｒの方向に沿って長く開口するように、且つ矢印Ｑの方向に沿って短く開口するように形成される（図示の如く縦長に開口形成される）。コネクタ収容部７は、本実施例において、六つ形成される。このようなコネクタ収容部７には、係止アーム１１の係止部分が突出するように形成される。係止アーム１１は、可撓性を有するアーム形状の係止部として形成される。係止アーム１１は、雌コネクタ３を係止してコネクタ収容部７からの脱落を防止することができるように形成される。
【００３７】
金属板装着部８は、金属板６の装着部分として形成される。金属板装着部８は、本実施例において、金属板６を圧入にて保持し装着状態にすることができるように形成される。また、金属板装着部８は、金属板６が装着されると、コネクタ収容部７に金属板６の後述するタブ１６が突出するように形成される。
【００３８】
スペーサ組み付け部９は、スペーサ４の組み付け部分として形成される。スペーサ組み付け部９は、複数並んだコネクタ収容部７を矢印Ｑの方向（第二の方向）に横切るような空間部分に形成される。スペーサ組み付け部９は、ここにスペーサ４が組み付けられると、矢印Ｑの方向に沿ってスペーサ４がスライド自在になるように形成される。尚、スペーサ組み付け部９における引用符号１２（図７参照）は、スペーサ４の組み付け開始側の開口を示す。この開口１２の反対側には、開口１３が一対形成される。一対の開口１３の近傍には、雄コネクタ側係止部１０が形成される。
【００３９】
図７及び図８において、雄コネクタ側係止部１０は、スペーサ４を仮係止する仮係止部１４と、スペーサ４を本係止する本係止部１５とを有して構成される。仮係止部１４と本係止部１５は、異なる形状であって、スペーサ４を引っ掛けることができる形状に形成される。
【００４０】
＜金属板６について＞
図４において、金属板６は、導電性を有する金属の板をプレス加工することにより形成される。金属板６は、複数のタブ１６と、この複数のタブ１６を所定の間隔をあけて連結するバスバー１７とを有して図示形状に形成される。金属板６は、本実施例において、タブ１６が六つ、枚数は四枚である（タブ１６の数や金属板６の枚数は一例であり、雌コネクタ３の仕様等に合わせるものとする）。尚、バスバー１７は、この両サイドに抜け止め部が形成されて、抜け止め部が金属板装着部８に食い込むようになることが好ましいものとする。
【００４１】
＜雄ジョイントコネクタ２の組み立てについて＞
以上のような構成及び構造の雄ジョイントコネクタ２は、以下の第一工程を経て組み立てられる。
【００４２】
図４において、第一工程では、雄コネクタハウジング５に対し金属板６が装着される。具体的には、タブ１６の側から差し込まれるように、また、雄コネクタハウジング５の裏側から金属板装着部８に差し込み圧入されるように金属板６が装着される。金属板６が装着されると、タブ１６が所定長さでコネクタ収容部７に突出する。以上により雄ジョイントコネクタ２の組み立てが完了する。雄ジョイントコネクタ２の組み立ては非常に簡単である。
【００４３】
＜雌コネクタ３の構成について＞
図１ないし図３において、また、図５において、雌コネクタ３は、絶縁性の雌コネクタハウジング１８と、電線１９の端末に設けられて金属板６のタブ１６（図４参照）に接続される複数の雌端子金具２０とを備えて構成される。
【００４４】
＜雌コネクタハウジング１８について＞
図３及び図５において、雌コネクタハウジング１８は、樹脂成形品であって、縦長の箱形状に形成される。このような雌コネクタハウジング１８は、端子収容室２１と、孔２２と、係止部２３とを有する。端子収容室２１は、矢印Ｒの方向に沿って（縦方向に沿って）並ぶように複数形成される（本実施例では四つ形成される。尚、雌端子金具２０も四つになる）。このような端子収容室２１には、ランス２４が形成される。ランス２４は、端子収容室２１に収容された雌端子金具２０を係止する部分として形成される。端子収容室２１における引用符号２５は、金属板６のタブ１６（図４参照）に対する挿入口を示す。
【００４５】
孔２２は、矢印Ｒの方向に沿って（縦方向に沿って）切り欠かれ各端子収容室２１に連通するような開口部分として形成される。孔２２は、スペーサ４の後述する凸部２９の挿抜が自在になるように形成される。
【００４６】
係止部２３は、コネクタ収容部７の係止アーム１１に引っ掛かり係止される突起形状の部分として形成される。雌コネクタ３は、係止部２３が係止アーム１１に引っ掛かり係止されると、コネクタ収容部７からの脱落が防止される。
【００４７】
＜雌端子金具２０について＞
図５において、雌端子金具２０は、金属板６のタブ１６（図４参照）に接続される電気接触部２６と、この電気接触部２６に連続する電線接続部２７とを有する。電気接触部２６は、断面矩形の筒形状に形成される。電気接触部２６には、ランス２４に引っ掛かり係止される部分（符号省略）と、スペーサ４の後述する凸部２９に引っ掛かり係止される部分（符号省略）とが形成される。雌端子金具２０は、電気接触部２６の部分で二重に係止される。
【００４８】
＜雌コネクタ３の組み立てについて＞
以上のような構成及び構造の雌コネクタ３は、以下の第二工程を経て組み立てられる。
【００４９】
図５において、第二工程では、端子収容室２１に対し雌端子金具２０が収容される。この時、端子収容室２１に雌端子金具２０が確実に収容された状態になれば、雌端子金具２０はランス２４により係止される。雌端子金具２０が収容されると雌コネクタ３の組み立てが完了する。雌コネクタ３の組み立ては非常に簡単である。
【００５０】
＜スペーサ４の構造について＞
図３及び図６において、スペーサ４は、上記の如く、絶縁性の樹脂部品として形成される。また、スペーサ４は、雄ジョイントコネクタ２側に組み付けられる部品として形成される。このようなスペーサ４は、雌コネクタ貫通枠部２８と、凸部２９と、一対のスペーサ側係止部３０とを有する。雌コネクタ貫通枠部２８は、雌コネクタ３が貫通する部分であって、枠状に形成される。雌コネクタ貫通枠部２８は、矢印Ｑの方向（第二の方向）に沿って並ぶように複数形成される。また、矢印Ｒの方向に沿って長く開口するように、且つ矢印Ｑの方向に沿って短く開口するように形成される（図示の如く縦長に開口形成される。但し、矢印Ｑの方向の長さがコネクタ収容部７よりも長くなるように形成される。具体的には、仮係止から本係止に移行するスライドの分だけ長くなるように形成される）。
【００５１】
雌コネクタ貫通枠部２８には、帯状の基部３１を介して凸部２９が一体に形成される。凸部２９は、矢印Ｑの方向（第二の方向）に突出するように形成される。基部３１は、雌コネクタ３における孔２２の開口形状に合わせて形成される。また、凸部２９は、孔２２に挿入されると、雌端子金具２０を二重に係止することができるように形成される。凸部２９は、一つの雌コネクタ貫通枠部２８に対し四つ形成される。凸部２９は、孔２２及び雌端子金具２０の位置に合わせて配置形成される。
【００５２】
スペーサ側係止部３０は、雄ジョイントコネクタ２の雄コネクタ側係止部１０（図７及び図８参照）にて仮係止及び本係止される部分として形成される。スペーサ側係止部３０は、本実施例において、雄コネクタ側係止部１０が仮係止部１４と本係止部１５（図７及び図８参照）とを有して構成されることから、可撓性を有するアーム形状の部分に形成される。
【００５３】
尚、スペーサ４は、雄ジョイントコネクタ２のスペーサ組み付け部９に組み付けられることから、引用符号３２で示す外面がスペーサ組み付け部９に対し摺接するような部分として形成される。
【００５４】
＜スペーサ４の組み付けについて＞
以上のような構造のスペーサ４は、以下の第三工程を経て雄ジョイントコネクタ２に組み付けられる。
【００５５】
図７はスペーサの仮係止状態を示す図であり、（ａ）は図２のＧ−Ｇ線断面図、（ｂ）は（ａ）のＭ部分の拡大図である。また、図８はスペーサの本係止状態を示す図であり、図７（ｂ）に対応する拡大図である。
【００５６】
図７において、第三工程では、スペーサ組み付け部９に対しスペーサ４が組み付けられる。具体的には、スペーサ側係止部３０の側からスペーサ４が差し込まれるように、また、この差し込みの後にスペーサ側係止部３０が雄コネクタ側係止部１０の仮係止部１４に引っ掛かり仮係止されるまでスペーサ４がスライドして組み付けられる。スペーサ４の組み付けは非常に簡単である。
【００５７】
尚、スペーサ４の本係止は、スペーサ組み付け部９の側面３３（開口１２が開口する側面３３）に対し若干突出状態になる押圧面３４を押圧してスペーサ４をスライド移動させ、そして、図８に示す如くの状態にすればよい。すなわち、スペーサ側係止部３０と本係止部１５とが引っ掛かり合い係止される状態にすればよい。
【００５８】
＜コネクタ１の組み立て及び作用について＞
上記構成及び構造において、コネクタ１は、以下の第四工程〜第五工程を順に経て組み立てられる。
【００５９】
図９はスペーサの本係止状態を示す図であり、図２のＨ−Ｈ線断面図である。また、図１０はスペーサの本係止状態を示す図であり、図９のＪ−Ｊ線断面図である。また、図１１はスペーサの本係止状態を示す図であり、図２のＫ−Ｋ線断面図である。また、図１２は図１１に対応する図であり、（ａ）はスペーサの仮係止状態を示す断面図、（ｂ）はスペーサの本係止状態を示す断面図である。
【００６０】
図９において、第四工程では、雄ジョイントコネクタ２のコネクタ収容部７に対し雌コネクタ３が差し込まれる。そして、電気的な接続が完了する。この時、雌コネクタ３は、係止部２３がコネクタ収容部７の係止アーム１１に引っ掛かり係止される。尚、上記電気的な接続は、コネクタ収容部７に突出するタブ１６に対して雌コネクタ３の雌端子金具２０が所定位置まで差し込まれて完了する。
【００６１】
第五工程では、上記第三工程で予め組み付けていたスペーサ４が雄ジョイントコネクタ２に対しスライド移動して本係止される。スペーサ４が本係止状態になればコネクタ嵌合が確実であると検知される。また、雌端子金具２０が途中挿入でないと検知される。
【００６２】
図９ないし図１２を参照しながらもう少し詳しく説明すると、雄ジョイントコネクタ２に対し仮係止された状態で雌コネクタ３がコネクタ収容部７に完全に差し込まれた時に、且つ、雌コネクタ３の雌端子金具２０が完全に端子収容室２１に係止された状態の時に、スペーサ４は雄ジョイントコネクタ２に対する本係止の側にスライド可能になることから、このスライド移動に伴ってスペーサ４の凸部２９が雌コネクタ３の孔２２に挿入されれば、コネクタ嵌合が確実であると検知されるとともに、雌端子金具２０も途中挿入でないと検知される。
【００６３】
＜コネクタ嵌合が不完全な場合について＞
尚、コネクタ嵌合が不完全な場合は以下のようになる（特に図示しないが、雌端子金具２０が途中挿入である場合も同様になる）。
【００６４】
図１３はコネクタ嵌合が不完全であると検知される状態を示す図であり、図２のＨ−Ｈ線に対応する断面図である。また、図１４はコネクタ嵌合が不完全であると検知される状態を示す図であり、図１３のＪ−Ｊ線断面図である。また、図１５はコネクタ嵌合が不完全であると検知される状態を示す図であり、スペーサが仮係止から本係止に移行できない状態を示す断面図である。
【００６５】
図１３ないし図１５において、雌コネクタ３がコネクタ収容部７に対し不完全な状態で差し込まれると（スペースＳが生じるような状態）、スペーサ４の凸部２９が雌コネクタ３の孔２２に挿入されず、結果、スペーサ４が本係止状態にならなくなる。つまり、スペーサ４をスライド移動させることができず、そのためコネクタ嵌合が不完全であると検知される。
【００６６】
＜本発明の効果について＞
以上、図１ないし図１５を参照しながら説明してきたように、本発明に係るコネクタ１によれば、雄ジョイントコネクタ２に対し雌コネクタ３を差し込んで嵌合・収容した後に、雄ジョイントコネクタ２に予め組み付けられたスペーサ４を仮係止状態から本係止状態にスライドさせるだけで、コネクタ嵌合が確実であるか否かについて、また、雌端子金具２０が途中挿入であるか否かについて、複数の雌コネクタ３が存在しても一括して簡単に検知することができる。従って、本発明によれば、確実な検知と作業性の向上とを図ることができるという効果を奏する。
【００６７】
本発明は本発明の主旨を変えない範囲で種々変更実施可能なことは勿論である。
【符号の説明】
【００６８】
１…コネクタ、  ２…雄ジョイントコネクタ、  ３…雌コネクタ、  ４…スペーサ、  ５…雄コネクタハウジング、  ６…金属板、  ７…コネクタ収容部、  ８…金属板装着部、  ９…スペーサ組み付け部、  １０…雄コネクタ側係止部、  １１…係止アーム、  １２、１３…開口、  １４…仮係止部、  １５…本係止部、  １６…タブ、  １７…バスバー、  １８…雌コネクタハウジング、  １９…電線、  ２０…雌端子金具、  ２１…端子収容室、  ２２…孔、  ２３…係止部、  ２４…ランス、  ２５…挿入口、  ２６…電気接触部、  ２７…電線接続部、  ２８…雌コネクタ貫通枠部、  ２９…凸部、  ３０…スペーサ側係止部、  ３１…基部、  ３２…外面、  ３３…側面、  ３４…押圧面
【図１】
0006427011.tif 000002
【図２】
0006427011.tif 000003
【図３】
0006427011.tif 000004
【図４】
0006427011.tif 000005
【図５】
0006427011.tif 000006
【図６】
0006427011.tif 000007
【図７】
0006427011.tif 000008
【図８】
0006427011.tif 000009
【図９】
0006427011.tif 000010
【図１０】
0006427011.tif 000011
【図１１】
0006427011.tif 000012
【図１２】
0006427011.tif 000013
【図１３】
0006427011.tif 000014
【図１４】
0006427011.tif 000015
【図１５】
0006427011.tif 000016
【図１６】
0006427011.tif 000017
【図１７】
0006427011.tif 000018
【図１８】
0006427011.tif 000019
【図１９】
0006427011.tif 000020
【図２０】
0006427011.tif 000021